(57)【要約】【課題】眠りやすいように姿勢を安定させることができる上に、精神的にも落ち着くことのできる携帯用枕の提供を目的とする。また、このような携帯用枕に使用することができる枕カバーの提供を目的とする。【解決手段】利用者１の首１ａを支持する枕本体２に外部から内部への目視が困難なベール部３を備えたフード部４を取り付けて携帯用枕Ａを構成する。  利用者１の首１ａを支持するクッション体５を覆うカバー部８と、  外部から内部への目視が困難なベール部３を備えたフード部４とを有して枕カバー６を構成する。【選択図】図１
2015150158.tif 000002
【特許請求の範囲】
【請求項１】
利用者の首を支持する枕本体に外部から内部への目視が困難なベール部を備えたフード部を取り付けた携帯用枕。
【請求項２】
前記枕本体はクッション体を枕カバーで覆って形成され、
前記フード部が枕カバーと一体に形成される請求項１記載の携帯用枕。
【請求項３】
前記クッション体が略Ｕ字形状のエアクッションからなる請求項２記載の携帯用枕。
【請求項４】
前記枕カバーにはフード部を折り畳み収納可能な収容部が形成される請求項２または３に記載の携帯用枕。
【請求項５】
前記ベール部が遮光性のあるメッシュ生地により形成される請求項１ないし４のいずれかに記載の携帯用枕。
【請求項６】
前記フード部は遮光性のある生地により形成されるとともに、
前記ベール部が利用者の顔全体をほぼ覆う広さに形成される請求項５記載の携帯用枕。
【請求項７】
利用者の首を支持するクッション体を覆うカバー部と、
外部から内部への目視が困難なベール部を備えたフード部とを有する枕カバー。
【発明の詳細な説明】
【技術分野】
【０００１】
本発明は携帯用枕に関するものである。
【背景技術】
【０００２】
携帯用枕としては、従来、特許文献１に記載されたものが知られている。この従来例において、枕は、利用者の首を支持する略Ｕ字形状の本体部分に加え、座席の背もたれと思われる部分に取り付け可能な座席留め具や、あるいは、上記本体部分を肩で支えると思われる肩支持パットを備えて構成される。
【先行技術文献】
【特許文献】
【０００３】
【特許文献１】特表２０１３-５２１８３５号公報
【発明の開示】
【発明が解決しようとする課題】
【０００４】
しかしながら、上記従来例は利用者が精神的に落ち着きにくいという欠点がある。
【０００５】
すなわち、携帯用枕は、上記特許文献１にも記載されるように飛行機や電車、バスなどの座席、すなわち公共の場で使用されるのが一般的であるが、このような公共の場で寝てしまうと寝顔を人前に晒すことになってしまうために、精神的に落ち着きにくい。
【０００６】
本発明は以上の欠点を解消すべくなされたものであって、眠りやすいように姿勢を安定させることができる上に、精神的にも落ち着くことのできる携帯用枕の提供を目的とする。また、本発明の他の目的は、このような携帯用枕に使用することができる枕カバーの提供にある。
【課題を解決するための手段】
【０００７】
本発明によれば上記目的は、
利用者１の首１ａを支持する枕本体２に外部から内部への目視が困難なベール部３を備えたフード部４を取り付けた携帯用枕を提供することにより達成される。
【０００８】
本発明によれば、枕本体２にはベール部３を備えたフード部４が取り付けられており、利用者１は、枕本体２により首１ａが支持されることで睡眠時の姿勢を安定させることができる上に、この状態でフード部４を頭に被ることにより、ベール部３によって寝顔を隠すことができる。したがって利用者１は、肉体的および精神的に安定、安心して眠りにつくことができる。
【０００９】
また、ベール部３はフード部４に設けられるために、フード部４を頭に被ることで妄りに顔の前からずれてしまうことはなく、例えば寝返りをうったようなときにも安定して顔を隠すことが可能になる。さらに、フード部４は枕本体２に取り付けられるために、枕本体２が首１ａを安定して支持することで頭に被さる状態を安定させることができる。
【００１０】
上記枕本体２は、寝心地を考慮すればクッション性のあるものが望ましく、例えばクッション体５そのもので構成することが可能であるが、クッション体５を枕カバー６で覆って構成すれば、枕カバー６をクッション体５から取り外して洗濯することにより、洗濯時の手間を軽減して清潔に保つことができる。この場合において、フード部４を枕カバー６と一体にすれば、フード部４に整髪料が付いたり、ベール部３に化粧が付いたりして汚れしまっても、枕カバー６とともにクッション体５から取り外して洗濯することで清潔に維持することができる。
【００１１】
また、上記枕本体２は、首１ａを支持しやすいように、その形状を首１ａの背面側に嵌りやすい棒状などにすることが可能であるが、首１ａ周りに装着できるようにすれば、寝返りをうった際にも安定して首１ａを支持することができる。この場合、首１ａ周りへの装着のためのベルトを設けても足りるが、枕本体２自体を略Ｕ字形状に形成すれば、そのもの自体を首１ａ周りに外嵌させればよく、装着心地をより良好にすることができる。この場合においてさらに、上記クッション体５をエアクッションで構成し、携帯用枕を空気枕として構成すれば、軽量であるために、装着したときに首１ａ周りにあまり重さを感じるようなことがなく、より寝心地を良くすることができる。また、旅行時の持ち運びも簡単にできる。
【００１２】
さらに、枕カバー６にフード部４を折り畳み収納可能な収容部７を設ければ、フード部４が嵩張らずに持ち運びしやすくできる。
【００１３】
一方、上記ベール部３は、外部から内部への目視を困難にして顔を隠すことができれば足り、例えばタオル地などの透視ができない適宜の素材により形成することが可能であるが、遮光性のあるメッシュ生地により形成すれば、透視が全く不可能ではないために、捲り上げることなく外部の状況をある程度確認することが可能になり、外部が全く見えないことによる不安を取り除くことができる。また、その通気性により呼吸がしやすくなり、さらに、その遮光性によって睡眠がしやすくもなる。
【００１４】
この場合において、フード部４を遮光性のある生地で形成するとともに、ベール部３を利用者１の顔全体をほぼ覆う広さに形成すれば、上述したように内部からの外部へのある程度の目視を可能にできる上に、反対の外部から内部への目視のみをより困難にすることができる。すなわち、フード部４の内部への光の進入が抑制される上に、フード部４から露出する顔の部分からの内部への光の進入も抑制され、フード部４とベール部３とで頭部全体を包み込むように遮光することから、内部を外部からの目視がより困難な暗い状態にすることができる。また、頭部全体が遮光されるために、睡眠がさらにしやすくもなる。
【００１５】
以上の携帯用枕には、
利用者１の首１ａを支持するクッション体５を覆うカバー部８と、
外部から内部への目視が困難なベール部３を備えたフード部４とを有する枕カバー６を用いることができる。
【発明の効果】
【００１６】
以上の説明から明らかなように、本発明によれば、眠りやすいように姿勢を安定させることができる上に、精神的にも落ち着くことのできる携帯用枕を提供することができるために、睡眠不足になりやすい旅行を快適に楽しむことが可能になる。
【図面の簡単な説明】
【００１７】
【図１】本発明に係る携帯用枕の使用状態を説明する斜視図である。
【図２】携帯用枕を示す図で、（ａ）はフード部を広げたときの正面図、（ｂ）は（ａ）の２Ｂ-２Ｂ線断面図である。
【図３】枕カバーを示す図で、（ａ）はフード部を広げたときの平面図、（ｂ）はフード部を広げたときの底面図である。
【図４】クッション体を示す底面図である。
【図５】フード部を収容部に収納した状態の携帯用枕を示す底面図である。
【図６】変形例を示す図で、（ａ）は平面図、（ｂ）は図２（ｂ）に対応する図である。
【発明を実施するための形態】
【００１８】
図１ないし図５に本発明の実施の形態を示す。この実施の形態において、携帯用枕Ａは、図１および図２に示すように、利用者１の首１ａを支持する枕本体２と、この枕本体２に取り付けられるフード部４とを有する。
【００１９】
上記枕本体２は、図２および図５に示すように、合成樹脂製のエアクッション（クッション体５）を枕カバー６で覆って形成され、ほぼ棒状の首当て部１１の両端から直交方向に支持部１２を延設して略Ｕ字形状に形成される。この枕本体２は、開口部１３に利用者１の首１ａを背面側から挿入し、首当て部１１に首１ａの背面を当接させ、首１ａを両側方から支持部１２、１２で挟むようにして利用者１に装着される。これにより、装着状態において利用者１が座席の背もたれに頭部を預けるようにもたかかっれたときには、首１ａが支えられ、頭部１ｂが安定した状態に保持される。
【００２０】
上記エアクッション５は、２枚の合成樹脂製シートを重ね合わせ、その周縁を溶着して形成されるチューブ５ａ内に空気を入れて形成される。図４に示すように、上記チューブ５ａには、空気を入れるためのノズル５ｂが形成されるとともに、このノズル５ｂの開口がキャップ５ｃにより開放可能に閉塞される。このノズル５ｂは、枕カバー６の後述するポケット部１４近傍に配置されることにより、枕カバー６で被覆した状態でのチューブ５ａへの空気の封入、抜き出しが可能にされる。
【００２１】
上記枕カバー６は、肌触りの良好なニット生地により形成され、図３に示すように、上述した支持部１２を構成する張り出し部１５の一方の底面側にチューブ５ａを取り出し、あるいは挿入するためのポケット部１４が形成される。このポケット部１４は、チューブ５ａから空気を抜いた状態で携帯用枕Ａを折り畳んだ際に、その折り畳み部位を収容して全体をコンパクトにまとめるための収納部としても利用することができる。また、上述した首当て部１１を構成する基端部１６の底面側には、上述したフード部４を不使用時に収容するためのポケット状の収容部７が形成される。
【００２２】
一方、上記フード部４は、図１ないし図３に示すように、利用者１の顔１ｃを除く頭部１ｂ全体を覆う略半球形状の覆い部１７と、この覆い部１７から垂下されて上述した枕本体２に連結される連結部１８とを有する。上記連結部１８は、覆い部１７から離れるに従って漸次幅寸法を狭くして形成され、上述した首当て部１１の開口部１３側に面する位置で枕カバー６と連結される。これにより連結部１８は、利用者１の首１ａに枕本体２を装着してフード部４で頭を覆ったときには、首１ａの背面に覆い被さる位置をとる。
【００２３】
また、上記フード部４には、利用者１の顔１ｃを隠すためのベール部３が設けられる。このベール部３は、図１ないし図３に示すように、利用者１の顔１ｃ全体をほぼ覆うことのできる広さに形成され、フード部４から利用者１の顔１ｃの前面に垂下する。
【００２４】
以上のベール部３とフード部４は、上述した枕カバー６と同じ生地で形成される。この生地は、具体的には、黒色で遮光性のある編み目のやや細かいメッシュ生地からなることにより、生地を通して反対側をやや黒みがかった状態で透かして見ることができる。
【００２５】
また、上述のようにフード部４から露出する利用者１の顔１ｃがベール部３により覆われることによって、図２および図３に示すように、ベール部３とフード部４は全体としてあたかも深編み笠のように利用者１の頭部１ｂ全体をほぼ隈無く覆うものになり、具体的には、上述のメッシュ生地を深張り傘にやや近似する袋状に縫製することで一連一体に形成される。
【００２６】
さらに、上述のように同じ生地で形成される枕カバー６は、連結部１８を介してフード部４等と縫製により一体にされる。これによりフード部４やベール部３は枕カバー６の一部を構成し、枕カバー６としては、上述のようにエアクッション５を覆うためのカバー部８に加えて、フード部４やベール部３を備えて構成されることとなる。
【００２７】
以上の携帯用枕Ａは、例えばまず、フード部４やベール部３を収容部７から引き出してからエアクッション５を膨らませた後、枕本体２を首１ａに装着する。枕本体２の首１ａへの装着に際しては、フード部４等を首当て部１１の上面に重ねるように引き出しておくことにより、フード部４等が首当て部１１を首１ａの背面に合わせる際に邪魔にならない。この後、フード部４等を引き起こして頭部１ｂに被せれば、顔１ｃがベール部３により覆われる。
【００２８】
上述のようにベール部３とフード部４が全体として遮光性のある材料で袋状に形成されることにより、その内部への光の進入が抑制されて顔１ｃが暗所にあるのと近い状態になり、したがって透視可能なメッシュ生地であっても外部からはっきりと見ることができない。一方、内部からは、単にメッシュ生地を透かして見ることができる。また、ベール部３はフード部４と一体となって深張り傘にやや近似する袋状、言い換えれば開放部に行くに従って漸次外側に広がる袋状に形成されるために、顔１ｃ周りには空間的なゆとりがあり、ベール部３が顔面に擦れるようなこともない。このように空間的なゆとりがあるために、例えば利用者１が髪をポニーテールに纏めていてもベール部３で顔１ｃを隠すのに特に問題が生じることはない。
【００２９】
さらに、例えば移動中のバスで就寝のために照明が消されるなどしてベール部３が不要になったときには、図５に示すように、ベール部３を収容部７に収容して利用することができる。加えて、携帯用枕Ａを使用しないときには、チューブ５ａから空気を抜いて折り畳んでおけば極めてコンパクトになる。
【００３０】
図６の本発明の変形例を示す。なお、以下の変形例において上述した実施の形態と同一の要素は図中に同一の符号を付して説明を省略する。この変形例において、枕本体２は、首当て部１１の背面側、すなわち開口部１３とは反対側の側面においてフード部４と連結される。これにより、連結部１８と利用者の首１ａの背面との間に余裕が持たせられ、利用者１のフード部４の被り心地をより向上させることも可能になる。
【００３１】
また、上述のフード部４との連結位置の変更に伴い、収容部７の開放位置についても上述した実施の形態とは逆、すなわち開口部１３とは反対側に設定される。さらに、この変形例において、収容部７は、枕カバー６に形成したスリット状の開口周りに袋体の開口周縁を縫製して形成され、枕カバー６の裏面側に構成されることで枕カバー６の外観を良好に維持する。
【００３２】
なお、上述した実施の形態においては、ベール部３とフード部４を同じ生地で一連一体に形成する場合を示したが、顔１ｃを隠すためには、歌舞伎において黒子が使用する頭巾のベールのように、ベール部３をフード部４とは別の素材で暖簾のようにフード部４の前面に吊り下げて構成しても足りる。また、以上においてはベール部３をカバー部８に縫製して枕カバー６と一体にする場合を示したが、このような縫製に代えて例えばスナップなどを用い、枕カバー８に対して着脱自在にしても足りる。
【符号の説明】
【００３３】
１    利用者
１ａ  首
２    枕本体
３    ベール部
４    フード部
５    クッション体
６    枕カバー
７    収容部
８    カバー部
【図１】
2015150158.tif 000003
【図２】
2015150158.tif 000004
【図３】
2015150158.tif 000005
【図４】
2015150158.tif 000006
【図５】
2015150158.tif 000007
【図６】
2015150158.tif 000008